(57)【要約】所定の厚さのドア（１）の取っ手（２，３）のための取り付け構成であって、ドア（１）が内側のロックチャンバ（６）を有する。ロッド（４）が２つの取っ手（２，３）をロックチャンバ（６）に相互結合する。各取っ手（２，３）とドア（１）との間に、ロッド（４）が延びるワッシャ又はカバープレート（１６）が設けられている。ロッド（４）は、所定の厚さに応じて、調節可能な結合部（９，１０）を介して一方の取っ手（２，３）の開口（８）にある程度の距離挿入可能且つそこに固定可能である。本発明によれば、ワッシャ又はカバープレート（１６）が、所定の厚さにワッシャ又はカバープレート（１６）の位置を適合させるために調節器具（２０）に結合されている。調節器具（２０）は、ロックチャンバ（６）に調節器具を取り付けるために磁石を備えた結合部（２４）を有する。調節器具（２０）は、ワッシャ又はカバープレートに固定させるための外側パーツ（１８）及び磁石を備えた内側パーツ（１９）を有しており、外側及び内側パーツがネジ結合を介して互いに調節可能に結合されている。【選択図】図２
2013505384.tif 000002
【特許請求の範囲】
【請求項１】
ドア又は窓といった所定の厚さの開閉可能な部材（１）に取っ手器具を取り付けるための構成であって、
前記部材（１）の内側に設けられたロックチャンバ（６）であって、前記部材のそれぞれの側に取っ手（２，３）を具えたロッド（４）が延びるロックチャンバ（６）と、
各取っ手と前記部材との間に設けられたワッシャ（１６）又はカバープレートであって、前記ロッドが延びるワッシャ（１６）又はカバープレートと、
を具えており、
前記ロッドが、前記所定の厚さに応じて、調節可能な結合部（９，１０）によって、少なくとも一方の前記取っ手の開口（８）にある程度の距離挿入可能且つそこに固定可能であり、
前記ワッシャ（１６）又はカバープレートが、前記所定の厚さへの前記ワッシャ又はカバープレートの位置の適合のために調節器具（２０）に結合され、
前記調節器具及び前記ロックチャンバ（６）が、結合部（２４）を介して相互結合可能であることを特徴とする構成。
【請求項２】
前記結合部（２４）が、前記ロックチャンバ（６）の材料との協動のために提供される少なくとも１の磁石を有することを特徴とする請求項１に記載の構成。
【請求項３】
前記調節器具（２０）が、前記ワッシャ（１６）又は前記カバープレートに固定可能な外側パーツ（１８）と、前記ロックチャンバ（６）に面する内側パーツ（１９）と、を有しており、
前記ロックチャンバに面する前記内側パーツ（１９）の表面に磁石が設けられ、
前記内側及び外側パーツが、ネジ結合（２３）によって互いに前記ロッド（４）の長手方向に調節可能であることを特徴とする請求項１又は２に記載の構成。
【請求項４】
前記調節器具（２０）の前記外側パーツ（１８）が、前記ワッシャ（１６）又は前記カバープレートに固定可能であることを特徴とする請求項３に記載の構成。
【請求項５】
前記調節器具（２０）の前記外側パーツ（１８）が、前記ロッド（４）の長手方向に対して横方向に前記取っ手（２，３）の軸を出すためのジャーナル部材（２５）を有し又はこれに結合されることを特徴とする請求項４又は５に記載の構成。
【請求項６】
前記ジャーナル部材（２５）が、前記ワッシャ（１６）又は前記カバープレートの対応する開口を通して延びる環状フランジを有することを特徴とする請求項５に記載の構成。
【請求項７】
前記調節器具（２０）が、ドアの厚さの調節が行われていることを示す表示部を有することを特徴とする請求項１乃至６のいずれか１項に記載の構成。
【請求項８】
前記調節器具（２０）の前記内側パーツ（１９）が、その外側パーツ（１８）よりも大径であり、前記外側パーツ（１８）を部分的に囲むことを特徴とする請求項３乃至７のいずれか１項に記載の構成。
【請求項９】
前記調節器具（２０）の前記外側パーツ（１８）が、前記ワッシャ（１６）又は前記カバープレートの対応する空間（２２）の内側で固定される半径方向に突出するフランジ（２１）を有することを特徴とする請求項３乃至８のいずれか１項に記載の構成。
【発明の詳細な説明】
【技術分野】
【０００１】
本発明は、ドア又は窓といった所定の厚さの開閉可能な構成部材の固定装置を固定するための構成に関し、この構成は、取っ手を具えたロッドが構成部材のいずれかの側を延びる固定チャンバが構成部材の内側に設けられており、各取っ手及び構成部材の間にロッドが延びるワッシャ又はカバープレートが設けられており、ロッドが、所定の厚さに応じて、少なくとも１つの取っ手の開口部の中にある程度挿入可能であり、調節可能な結合部によってそこに固定可能である。
【背景技術】
【０００２】
従来のタイプの取っ手構成の取り付けでは、ドア又は窓を通って延びるロッドの長さを適合させることが、すなわちドア又は窓の厚さに応じて多くの場合切断することが、以前から一般的な方法である。さらに、ロッドが延びるワッシャ又はカバープレートは、通常、ドア又は窓の厚さに応じて所望の長さに切断される、通り抜けるネジを用いて所定の位置に取り付けられている。取っ手構成に含まれる部品のこのような細かい適合は、多くの場合、複雑で時間がかかることが分かっている。
【０００３】
国際公開公報ＷＯ２００５／０４７６２７号は、ドア又は窓を延びるロッドがロッドの一端が取っ手に可変的に固定可能である調節可能な結合部を有する、取っ手構成を開示している。
【０００４】
この公報によれば、取っ手が、挿入開口部の反対側の取っ手に設けられた固定部材との協動のために一端に溝部が形成された上記のロッドを収容するための挿入開口部を有している。
【０００５】
固定部材は、取っ手の開口部に挿入可能な挿入スリーブの一部として構成される。挿入スリーブの固定部材とロッドの溝部との固定構成を確実にするために、取っ手に止雌ネジを切った開口が形成されている。
【０００６】
確かに、このような構成により、ドア又は窓の厚さに応じて取っ手の適切な調節が可能となるが、ドア又は窓の両側に通常設けられ取っ手のロッドが延びるワッシャ又はカバープレートの対応する簡単な取り付けができない。
【０００７】
対応する調節可能な結合部は、国際公開公報ＷＯ２００９／０１６１７４号にも示されている。この調節可能な結合部は、溝部又は固定歯の使用に基づいておらず、２つの取っ手の間を延びるロッドを囲む斜めに傾いた環状バネの「引っ掛かる引き込み効果」によるものである。
【０００８】
ここで問題になっているこのようなタイプの調節可能な結合部のさらなる例が、ＧＢ１６１０６９及びＤＥ１１２５８０８に開示されている。
【０００９】
上記のような従来技術は、２つの取っ手間の距離を、取っ手が固定されるドア又は窓の厚さにどのようにして適合させ得るのかを示す多くの実施例を提示するものである。一方、ドア又は窓の両側に通常設けられるワッシャ又はカバープレートの取り付けに、対応する適合がどのようにして行われるかは、明らかではない。
【発明の概要】
【発明が解決しようとする課題】
【００１０】
本発明は、ドア又は窓の両側に設けられたワッシャ又はカバープレート双方の調節可能な適合をも可能にする採用によって示される構成を設計することを目的とするものである。さらに、本発明は、測定器具の必要無しに低コストで調節が素早く且つ簡単に行われるような構成を設計する目的を有する。最後に、本発明は、簡単に分解且つ再組み立てが可能な構成を設計する目的を有する。
【課題を解決するための手段】
【００１１】
本発明の基本を形成する目的は、採用によって開示される本構成が、ワッシャ又はカバープレートが所定の厚さへのワッシャ又はカバープレートの位置の適合のために調節可能な器具に結合され、調節器具及び固定チャンバが結合部を介して互いに内部結合されることを特徴とする場合に達成される。
【図面の簡単な説明】
【００１２】
ここで、添付図面を参照して、本発明を以下に詳細に説明することとする。
【００１３】
【図１】図１は、本発明の第１の実施例に係る構成を含んだ部品の分解図である。
【図２】図２は、図１に示す構成品のドア又は窓を通した部分とともに示す部分分解図である。
【図３】図３は、組み立てた状態の図１及び２に係る実施例を示す。
【図４】図４は、わずかに変更した実施例の斜視図であり、ワッシャ又はカバープレートの取り付け手段が省略されている。
【図５】図５は、組み立てた状態の図４に示す変更した実施例の部分である。
【図６】図６は、本発明のさらに変更した実施例の斜視図を詳細に示す。
【発明を実施するための形態】
【００１４】
本発明は、一般に、ドア、ハッチ、窓等といった開閉可能な部材における構成に関する。しかしながら、簡単のために、ドアとともに使用する方法のみを参照して本発明を説明することとする。
【００１５】
図面を参照すると、図１乃至３は、本発明の構成に係る第１の実施例を示しており、ドア１の一方の側に第１の取っ手２が設けられ、ドアの反対側に第２の取っ手３が設けられていることが、図２から明らかである。例えば矩形又は正方形断面といった非回転対称断面のロッド４が、第１の取っ手２に恒久的に固定されている。このようなデザイン及び構成により、ロッド４が２つの取っ手２及び３の回転相互結合部を成すが、取っ手とドアの対応する凹部の座ぐりに設けられたロックチャンバ６の対応する回転部５との間の結合部も構成する。ロックチャンバ６が、ドアの厚さ方向を含め様々な寸法を有し得ることに留意されたい。さらに、ロックチャンバが、キー作動するロックの作動の下で開けることのできるデッドボルト（錠）７を有することが、図２から明らかである。取っ手２及び３及び回転部５の作動の下で作動するデッドボルトは、図２に図示しない。
【００１６】
ドア１に関して、ドアが出入り口である場合、図２のドアの左側がドアの内側を構成するといえる。その理由を以下で詳しく開示することとする。
【００１７】
導入部で説明したように、ドアは様々な厚さを有しており、１又は２センチメートル、場合により３センチメートルに達する。
【００１８】
ドアの外側の第１の取っ手２に恒久的に固定されるロッド４は、最大厚さのドアでさえも十分な長さとなっている。実際には、ドアの様々な厚さにより、ドア１の外側の面の外側へのロッド４の突出が、ドアが厚くなる程小さくなり、ドアが薄くなる程大きくなることをもたらす。ロッド４のこのような様々な突出を可能にするために、ドアの内側に設けられた取っ手３が、図１のロッドの左端を挿入し得る適合空間８を示す。この適合空間８は、ロッド４の断面に対応する外形を有しており、ロッド４と取っ手３との間に非回転相互結合を実現する。
【００１９】
本発明に係る取っ手構成の単純な取り付けを実現するために、ロッド４及び取っ手３が、ドアの外側のロッド４の様々な長さの突出部、すなわち適合空間８への挿入長さを補償し得る結合部を有する。さらに、この結合部は、ドアからのロッドの離脱又は代替的に取っ手３の外れを防止するために、適合空間にロッドの端部を挿入するのに十分である。これにより、ロッド４と取っ手３との間の結合部は、調節可能な一方向結合として考えられる。
【００２０】
ロッド４と取っ手３との間の結合部は、ロッド４の自由端領域に一連の横溝９を含んでおり、個々の溝部が、把持端部がドア１に向く返しとして構成される。
【００２１】
さらに、結合部は、取っ手３の適合空間８の内部に設けられより正確にはその拡がった口の領域に設けられた口板１０を有している。口板１０又は固定バネが、図２の左側に面するよう回転する端部エッジに、溝部９の返しに係合するよう構成される徐々に下方に向かう返しを有する。口板１０はわずかに弾力性があり、ロッド４が適合空間８に挿入される時に口板１０の返しが持ち上がり、移動が完了すると溝部９の返しの間の隙間に落ち込む又は跳ね落ちるように、溝部９の返しが通過可能であり、ドアに向く返しの固定端に接触して固定することを示す。
【００２２】
取っ手３において、口板１０が、取っ手３の対応する凹部に適合且つ位置固定される固定部１１に固定される。このため、取っ手からの口板１０の離脱が防止される。
【００２３】
図１の主に上部は、ロッド４及び口板１０の端部領域を斜視図として示す。ロッドの端部領域が通常の使用では、両側に溝部９を備えた鉛直方向に通り抜けるスロット１３を有することが、この図から明らかであろう。このスロット１３は、口板１０に作動部１４を適応させる目的を与えるものであり、この作動部は、取っ手３の下側の開口１５を介してアクセスし得る（図２）。作動部１４及び開口１５の目的は、作動部１４の上向きの圧力により、口板１０の固定端１２がロッド４の溝部９の返しとの係合から持ち上がることであり、これにより、取っ手をドアから簡単に外すことができる。さらに、作動部１４は、開口１５の外に口板１０が引き出されるのを防止するのを補助する。
【００２４】
ロッド４と取っ手３との間の上述の調節可能な結合部により、ドア１の厚さに応じて、取っ手２及び３の便利な位置適合を与えるものであり、便利な取っ手の取り付け及び取り外しを与える。
【００２５】
図から明らかなように、取っ手２及び３とドアの両側との間に、ワッシャ又はカバープレート１６が設けられており、それらは、ドアの両側からロックチャンバ６に通じる開口を隠す。また、これらのワッシャ又はカバープレートは、ドアの厚さに拘わらず且つロックチャンバの厚さに拘わらずドア又はロックチャンバに固定され得る。
【００２６】
本発明によれば、ドアのいずれかの側に配置されロッド４が延びるワッシャ１６が、ドアの外側面から内側にどれだけ離れて位置しているにも拘わらず、ロックチャンバ６にワッシャ１６が固定される固定手段１７を有する。固定手段１７は、外側パーツ１８及び内側パーツ１９を具えており、内側パーツ１９がロックチャンバに面して回転する一方、外側パーツ１８がワッシャ１６に面して回転する。これらの外側パーツ及び内側パーツの間に、ドア１の厚さ及びロックチャンバ６の深さに適合するよう、ロッド４の長手方向に固定手段１７の長さを変えることができる調節器具２０が設けられている。
【００２７】
固定手段１７は、その外側端部に、ワッシャ１６の内側溝部２２の中に周縁を留めることができる又は固定できる環状フランジ２１を有する。溝部２２へのフランジ２１の固定により、それらの間の結合がトルクを伝達し得るようになっている。
【００２８】
調節器具２０の外側パーツ１８は、スリーブとして形成される内側パーツ１９の内側の対応するネジに係合する外側ネジ２３を具えた管状部を有する。外側パーツ１８に対して内側パーツ１９にネジを切ることによって、ロッド４の長手方向の固定手段の範囲を、多数のドアの厚さ（及びロックチャンバの厚さ）への適合により補償し得る範囲まで変えることができる。また、調節器具２０は、いずれの設定が選択されたかを表示する較正部又は表示部を有する。
【００２９】
ドアへの固定手段１７の固定のために、調節器具２０が、そのロックチャンバ６に面する端部に、図示する実施例では、ロックチャンバに固定手段１７を固定する結合部２４を有する。結合部２４は、ロックチャンバ６に付く環状の磁石を有する。
【００３０】
結合部が、ドアから離れる正味の牽引力に加えてドアの面に沿った変位又は引っ張り、すなわち取っ手の上下いずれかへの押し付けを有する応力に対応する最大源の可能性を有するために、磁石２４がロックチャンバ６に対して出来る限り大きな直径及び大きな突出面を有することが重要である。このような理由のため、調節器具２０の内側パーツ１９が、外側パーツ１８の外側に設けられており、結合部２４は、環状の磁石を対象とする実施例では、内側パーツ１９の外周縁に沿って設けられている。
【００３１】
図１及び３では、ワッシャ１６の内側に、ワッシャ又はカバープレート１６の取っ手２及び３の軸出しを改善するよう機能するジャーナル部材２５を有する。
【００３２】
また、図２は、互いに鉛直方向にドア１のいずれかの側に配置された２つの異なるワッシャ１６を示す。上側ワッシャ１６のセットは、この図ではデッドボルト７を動作させるためのキー穴を覆うよう意図するが、この理由のために、キーが通過し得る開口部２６を有する。当然ながら、上側及び下側ワッシャ又はカバープレート１６は連続的であって細長いカバープレートの形状であり、多くの場合、古いドア構成に設けられる。さらに、取っ手２及び３を鉛直方向の最上部に、ロックを最下部に設けることができる。図に示すようなこれらの上側ワッシャ又はカバープレート１６は、全体として上記と同様にロックチャンバ６に調節可能に固定される。
【００３３】
図４及び図５は、わずかに変更した実施例を示す。上記の実施例と異なるのは、取っ手２及び３の双方を相互結合する上記のロッド４が、上側ロッド部２７及び下側ロッド部２８に置き換わっているということである。
【００３４】
本例では、下側ロッド部２８が、ドアの内側で取っ手３に恒久的に固定される一方、上側ロッド部２７が他の取っ手２に恒久的に固定される。上側ロッド部２７は、少なくともその外側部に、上記の溝部９に対応する溝部を有する。下側ロッド部２８の凹部２９に、上側に上側ロッド部２７の対応する溝部と協動して固定するための溝部３１を有する嵌め込み固定体３０を有する。固定体３０と凹部２９の下部との間に、上側ロッド部２７と係合するよう固定体３０を持ち上げる小さなバネ３２を有する。上側ロッド部２７がわずかに針骨状の端部（図５の最も左）を有するため、上側ロッド部２７が、下側ロッド部２８の上側を取っ手３の中に固定体３０を超えて摺動し、２つの溝部が互いに噛み合う。上側ロッド部２７の離脱は、溝部の構成及び方向のため不可能である。
【００３５】
上記の結合部を開けるために、固定体３０がネジ３３を有しており、これにより、固定体３０が、凹部２９の下部に隣接するようなネジ３２の動きに対して下方に押し付けられることで、ロッド部２７の下方に面する溝との係合が解除される。ネジ３３は取っ手３の下側の開口３４を介してアクセス可能である。
【００３６】
図６は、調節可能であってドアの両側の２つの取っ手を結合する結合部の代替的な実施例を示す。この図では、ロッドが符号４であり、図１乃至３に係る実施例と同様に、ネジ３５が設けられる長手方向の鉛直スロット１３を有することが明らかである。ネジ３５がドアの内側の取っ手の対応するネジにネジ込まれる。ロッド４の端部の下面に、ロッド４の端部に適合するよう設けられた取っ手の開口部の内側に設けられたバネ３７の動作の下でロッド４に接触するよう上方に持ち上げられる固定体３６の対応する溝部３８と協動するための溝部３９が設けられている。取っ手へのロッド４の挿入の際に、その自由端が取っ手の対応する開口の中に移動し、そして、固定体３６がその溝部３８とともに、ロッドの溝部３９を越えて留まる。変位が終了すると、固定体３６の歯部３８又は溝部がロッド４の対応する歯部又は溝部３９に係合して固定する。このような結合を開く際に、すなわちロッド４の取り外しの際に、ネジ３５が下方にネジ込まれて固定体３６に接触し、固定体３６が押し下げられてロッド４の歯部又は溝部３９との係合が外れる。
【図１】
2013505384.tif 000003
【図２】
2013505384.tif 000004
【図３】
2013505384.tif 000005
【図４】
2013505384.tif 000006
【図５】
2013505384.tif 000007
【図６】
2013505384.tif 000008
【国際調査報告】
2013505384.tif 000009
2013505384.tif 000010
2013505384.tif 000011